(57)【要約】【課題】撮影姿勢の継続が容易となるようにする。【解決手段】略板状の本体２と、当該本体２に対し略板状の面方向から厚み方向に光軸が回動可能な撮像部６とを備える撮像装置１であって、当該装置１を水平面に設置し、且つ、撮像部６が本体２に対し略厚み方向に回動した状態において、撮像部６による撮像方向が水平となるように本体２を撮像部６とともに支持するため、本体２の一部に折り畳み可能な脚部４を備える。【選択図】図３
2014010256.tif 000002
【特許請求の範囲】
【請求項１】
略板状の本体と、当該本体に対し略板状の面方向から厚み方向に光軸が回動可能な撮像部とを備える撮像装置であって、
当該装置を水平面に設置し、且つ、前記撮像部が前記本体に対し略厚み方向に回動した状態において、前記撮像部による撮像方向が水平となるように前記本体を前記撮像部とともに支持するため、前記本体の一部に折り畳み可能な脚部を備えたことを特徴とする撮像装置。
【請求項２】
前記脚部を前記本体に対し立てる方向に付勢する弾性部材が備えられていることを特徴とする請求項１に記載の撮像装置。
【請求項３】
前記脚部を前記本体に対し立てた状態において、前記脚部が自重により折り畳まれるのを防ぐため、前記脚部と本体との間に回動可能な支柱部材が備えられていることを特徴とする請求項１に記載の撮像装置。
【請求項４】
前記支柱部材を倒す方向に付勢する弾性部材が備えられていることを特徴とする請求項３に記載の撮像装置。
【請求項５】
前記本体にはコネクタが備えられ、
前記脚部は折り畳まれた状態において、前記コネクタを覆う蓋部を兼ねることを特徴とする請求項１から４のいずれか一項に記載の撮像装置。
【請求項６】
前記本体には、前記撮像部にて撮像される画像を表示する表示部が備えられていることを特徴とする請求項１から５のいずれか一項に記載の撮像装置。
【発明の詳細な説明】
【技術分野】
【０００１】
本発明は、回動可能な撮像部を備える撮像装置に関する。
【背景技術】
【０００２】
従来より、本体に対し撮像部を回動可能に備え、より広いアングルで撮影することが可能な撮像装置が存在する（例えば特許文献１参照）。
このような撮像装置においては、その回動可能な機構により、通常の撮像装置では撮影が困難な特殊なアングルでの撮影が可能になっている。
【先行技術文献】
【特許文献】
【０００３】
【特許文献１】特開２００６−１８４５７９号公報
【発明の概要】
【発明が解決しようとする課題】
【０００４】
しかしながら、撮像装置に対し特殊なアングルでの撮影を行うための姿勢を取らせた場合、そのままの姿勢を継続させることは困難であり、別途三脚やスタンドを用意する必要があった。
【０００５】
本発明の課題は、撮影姿勢の継続が容易となるようにすることである。
【課題を解決するための手段】
【０００６】
以上の課題を解決するため、本発明は、
略板状の本体と、当該本体に対し略板状の面方向から厚み方向に光軸が回動可能な撮像部とを備える撮像装置であって、
当該装置を水平面に設置し、且つ、前記撮像部が前記本体に対し略厚み方向に回動した状態において、前記撮像部による撮像方向が水平となるように前記本体を前記撮像部とともに支持するため、前記本体の一部に折り畳み可能な脚部を備えたことを特徴とする。
【発明の効果】
【０００７】
本発明によれば、撮影姿勢の継続が容易となる。
【図面の簡単な説明】
【０００８】
【図１】本発明を適用した撮像装置の一実施形態の構成を示す斜視図で、本体に撮像部と脚部（蓋部）を収納した状態の図（ａ）、撮像部と脚部を引き出した状態の図（ｂ）、撮像部と脚部を回転した状態の図（ｃ）である。
【図２】図１の本体を裏側から見た同様の斜視図（ａ）〜（ｃ）である。
【図３】図２の本体を左側から見た同様の側面図（ａ）〜（ｃ）である。
【図４】撮像部のスライド機構及び回転ヒンジ機構を示す斜視図で、撮像部を収納した状態の図（ａ）、撮像部をスライドした状態の図（ｂ）、撮像部を回転した状態の図（ｃ）である。
【図５】本体と脚部の分解斜視図である。
【図６】本体に対し脚部を立てた状態の側面図（ａ）と正面図（ｂ）である。
【図７】脚部内の支柱部材を立てた状態の側面図（ａ）と正面図（ｂ）である。
【図８】本発明を適用した撮像装置による撮像システムの一実施形態を示す側面図である。
【図９】図８の撮像装置を左側から見た背面図である。
【図１０】変形例１を示すもので、撮像部の足を円弧形状にして角度を変化させた図（ａ）（ｂ）である。
【図１１】変形例２を示す図である。
【発明を実施するための形態】
【０００９】
以下、図を参照して本発明を実施するための形態を詳細に説明する。
（実施形態）
図１から図３は本発明を適用した撮像装置１の一実施形態の構成を示すもので、２は本体、３は表示部、４は脚部（蓋部）、５はコネクタ、６は撮像部、７は撮像用レンズ部、８はＬＥＤ発光部（発光手段）である。
【００１０】
図示のように、撮像装置１は、略板状の本体２の略一面に表示部３を備えて、本体２の長手方向一端部に折り畳み可能な脚部４を備える。この脚部４は本体２の長手方向一端部内に備えたコネクタ５の蓋部を兼ねている。
【００１１】
脚部４は、本体２の長手方向一端部内のコネクタ５を覆う蓋形状で、本体２の表示部３と反対面側にスライド可能に組み付けられて、本体２に収納したり本体２から引き出したりすることができる。さらに、脚部４は、本体２に折り畳み可能となっていて、本体２に対し表示部３と反対面側に立てたり面一にしたりすることができる。
【００１２】
そして、本体２には、略板状の撮像部６が引き出し可能に収納されている。この撮像部６は、その略板状の一面側に、撮像用レンズ部７と、撮像する被写体を照射する発光手段としてのＬＥＤ発光部８とを並べて備える。
【００１３】
撮像部６は、本体２と略一体になるように略板状で、本体２のコネクタ５と反対の長手方向他端部内にスライド可能に組み付けられて、本体２に収納したり引き出したりすることができる。さらに、撮像部６は、本体２から引き出した状態で回転可能となっている。
【００１４】
また、撮像部６の先端には、両側面に突出する足６１が形成されている。この足６１は、撮像部６が本体２に対し略直交方向に回動した状態において、立てた状態の脚部４とともに設置状態で、撮像部６による撮像方向が水平となるように本体２を支持する。
【００１５】
図４は撮像部６のスライド機構及び回転ヒンジ機構を示すもので、図示のように、ガイドレール２１にスライド可能に組み込まれたスライダ２２に対しシャーシ６２がヒンジ軸６３を介して回転可能に結合されている。
ここで、ガイドレール２１は本体２の筐体内部に固定され、シャーシ６２は撮像部６の筐体内部に固定される。
【００１６】
図５は本体２と脚部４の分解状態を示したもので、本体２に対し脚部４は軸部材４１を介してスライド可能に組み付けられるとともに、その軸部材４１のスライドにより本体２から引き出した状態において、脚部４は軸部材４１を中心とする回動により折り畳み可能に本体２に組み付けられている。さらに、脚部４を本体２に対し立てる方向に付勢する弾性部材であるトーションバネ４２が設けられている。
【００１７】
そして、脚部４の内側面には、基端部側の軸部材４１を挟んで板金部材４３がビス止めされるとともに、脚部４の起立状態の支えとなる支柱部材４４が、一端部で軸部材４５を介して横方向へ回動可能に脚部４の先端部に組み付けられている。さらに、支柱部材４４を脚部４の先端部に沿って倒す方向に付勢する弾性部材であるトーションバネ４６が設けられている。
【００１８】
図６（ａ）（ｂ）は本体２に対し脚部４を立てた状態を示すもので、脚部４はトーションバネ４２の付勢により本体２に対し立てた状態に保たれており、支柱部材４４はトーションバネ４６の付勢により脚部４の先端部に沿って倒された状態に保たれている。
【００１９】
図７（ａ）（ｂ）は脚部４内の支柱部材４４を立てた状態を示すもので、本体２の自重により脚部４が折り畳まれるのを防ぐため、図示のように、支柱部材４４を手操作でトーションバネ４６の付勢に抗して脚部４の先端部から立てた状態にして、その支柱部材４４の上端部を本体２内部のコネクタ５の下方に突き当てる。
【００２０】
図８は本発明を適用した撮像装置１による撮像システムの一実施形態を示すもので、図示のように、実施例の一つとしてゴルフボールのパッティングを撮影する例である。
【００２１】
図９は図８の撮像装置１を左側から見た背面図である。
【００２２】
撮像装置１を携帯する状態から図８のように撮影する状態へ変換する際は、図１から図３の（ａ）〜（ｃ）に示すように、以下の手順にて行う。
１．撮像部６と脚部４をスライドさせる。
２．撮像部６を９０度回転させる。
３．脚部４を規定の角度まで回転させる。
４．脚部４を支柱部材４４でロックする。
なお、戻す場合は逆の手順に行う。
【００２３】
以上において、図８に示したように、ゴルフボールの高さ中心と撮像部６の撮像用レンズ部７の光軸中心が同一高さとなるよう設定している。
【００２４】
このように、脚部４及び撮像部６により水平に本体２を支持して、横向きの撮像部６の撮像用レンズ部７でＬＥＤ発光部８による照射を伴って、パッティングされたゴルフボールを撮影して、本体２上面の表示部３で表示される映像を見て確認することができる。
【００２５】
その他、撮像部６の足６１の長さ設定、脚部４のスライド及び回転角度の設定を変更することで、撮影する際の高さを被写体サイズに合わせた様々な用途、例えばゲートボール・アイスホッケー等に合わせることが可能である。
【００２６】
以上、実施形態の撮像装置１によれば、本体２に対して、撮像部６がスライド及び回転し、且つ脚部４もスライド及び回転することで、撮像部６と脚部４を収納し、携帯性を確保することができることに加え、撮像部６と脚部４の高さを固定して、撮影に必要な高さ調整ができ、撮影姿勢の継続が容易となる。
【００２７】
（変形例１）
図１０は変形例１を示すもので、図示のように、撮像部６には高さを調整するための足６１の形状を円弧形状に形成してもよい。
このように、撮像部６の足６１を円弧形状にすることで、撮像部６の撮像用レンズ部７の光軸角度調整が可能となる。
【００２８】
（変形例２）
図１１は変形例２を示すもので、図４のスライダ２２にモータ２３及び減速用のギア２４・２５・２６を搭載し、その最終段のギア２６を撮像部６のヒンジ軸６３に設けてもよい。
このように、撮像部６をモータ２３及びギア２４・２５・２６で自動回転することで、撮像部６の撮像用レンズ部７の光軸角度調整を自動化できる。
【００２９】
（変形例３）
図示しないが、脚部４を円弧形状に形成してもよい。
このように、本体２の脚部４を円弧形状にすることで、図８の撮影時の本体２上面の表示部３の角度調整が可能となる。
【００３０】
（変形例４）
図示しないが、撮像部６の足６１と脚部４に伸縮機構を追加してもよい。
このように、撮像部６の足６１と脚部４に伸縮性を持たせることで、高さ調整や傾き調整が可能となる。
【００３１】
（他の変形例）
以上の実施形態において、本体、撮像部及び脚部の形状等は任意であり、その他、具体的な細部構造等についても適宜に変更可能であることは勿論である。
【００３２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
略板状の本体と、当該本体に対し略板状の面方向から厚み方向に光軸が回動可能な撮像部とを備える撮像装置であって、
当該装置を水平面に設置し、且つ、前記撮像部が前記本体に対し略厚み方向に回動した状態において、前記撮像部による撮像方向が水平となるように前記本体を前記撮像部とともに支持するため、前記本体の一部に折り畳み可能な脚部を備えたことを特徴とする撮像装置。
＜請求項２＞
前記脚部を前記本体に対し立てる方向に付勢する弾性部材が備えられていることを特徴とする請求項１に記載の撮像装置。
＜請求項３＞
前記脚部を前記本体に対し立てた状態において、前記脚部が自重により折り畳まれるのを防ぐため、前記脚部と本体との間に回動可能な支柱部材が備えられていることを特徴とする請求項１に記載の撮像装置。
＜請求項４＞
前記支柱部材を倒す方向に付勢する弾性部材が備えられていることを特徴とする請求項３に記載の撮像装置。
＜請求項５＞
前記本体にはコネクタが備えられ、
前記脚部は折り畳まれた状態において、前記コネクタを覆う蓋部を兼ねることを特徴とする請求項１から４のいずれか一項に記載の撮像装置。
＜請求項６＞
前記本体には、前記撮像部にて撮像される画像を表示する表示部が備えられていることを特徴とする請求項１から５のいずれか一項に記載の撮像装置。
【符号の説明】
【００３３】
１  撮像装置
２  本体
２１  ガイドレール
２２  スライダ
２３  モータ
２４  ギア
２５  ギア
２６  ギア
３  表示部
４  脚部（蓋部）
４１  軸部材
４２  弾性部材
４３  板金部材
４４  支柱部材
４５  軸部材
４６  弾性部材
５  コネクタ
６  撮像部
６１  足
６２  シャーシ
６３  ヒンジ軸
７  撮像用レンズ部
８  ＬＥＤ発光部（発光手段）
【図１】
2014010256.tif 000003
【図２】
2014010256.tif 000004
【図３】
2014010256.tif 000005
【図４】
2014010256.tif 000006
【図５】
2014010256.tif 000007
【図６】
2014010256.tif 000008
【図７】
2014010256.tif 000009
【図８】
2014010256.tif 000010
【図９】
2014010256.tif 000011
【図１０】
2014010256.tif 000012
【図１１】
2014010256.tif 000013